(57)【特許請求の範囲】
【請求項１】
電話機のオフフックを検出するフック検出部と、フックスイッチと、テンキーとを備え、前記フックスイッチ操作後のテンキー入力は、通信開始として、入力された番号をすぐに回線に送出する一方、前記フック検出部によるオフフック検出後のテンキー入力は、通信予約として、入力された番号を記憶し、オンフックを検出したときに、記憶していた番号を回線に送出する通信端末装置。
【発明の詳細な説明】
【０００１】
【発明の属する技術分野】
本発明は、ファクシミリ装置などの通信端末装置に関する。
【０００２】
【従来の技術】
近時、複写機能付き通信端末装置（複合機）として、ファクシミリ装置が普及しつつあり、このようなファクシミリ装置は、使用する前に、切換スイッチを操作して、ファクシミリモードあるいはコピーモードを選択してから、各機能の動作の操作ができるようになっている。
【０００３】
ファクシミリモードでは、原稿をセットした後に、相手先のダイヤル番号をテンキー等から入力し、スタートスイッチを操作すれば、原稿の画像を読み込んで、相手先に画像データを送信する。一方のコピーモードでは、原稿をセットした後に、複数部をコピーする場合であれば所望の部数をテンキー等で入力し、スタートスイッチを操作すれば、原稿の画像を読み込んで、予めセットした用紙に対してコピーを行う。
【０００４】
また、ファクシミリ装置には、電話機が内蔵あるいは外付け接続できるようになっているため、この電話機によって、相手の電話機などと通話ができるようにもなっている。
【０００５】
【発明が解決しようとする課題】
ところが、上記従来の複写機能付き通信端末装置では、電話機によって通話している最中に、コピーを開始することはできず、通話の終了を待つ必要があった。また、コピー動作中に、ファクシミリ通信を開始するときには、切換スイッチを操作しファクシミリモードにしてから、ファクシミリ通信のための各種スイッチを操作する必要があり面倒であった。
【０００６】
本発明は、上記の事情に鑑みてなされたものであり、電話機による通話中のコピー動作を可能とし、また、コピー中の通信を簡単に開始できるようにした通信端末装置を提供することを目的としている。
【０００７】
【課題を解決するための手段】
上記目的を達成するために、本発明の請求項１に記載の通信端末装置は、電話機のオフフックを検出するフック検出部と、フックスイッチと、テンキーとを備え、フックスイッチ操作後のテンキー入力は、通信開始として、入力番号をすぐに回線に送出する一方、フック検出部によるオフフック検出後のテンキー入力は、通信予約として、入力番号を記憶し、オンフックを検出したときに、記憶していた番号を回線に送出する。
【００１１】
ここに、フックスイッチは、内蔵された通話回路によって通話を開始するために操作するスイッチであり、このスイッチ操作後は、接続された電話機において通話がされていないと判断して、内蔵の通話回路での通話を行うべく、入力されたダイヤル番号をそのまま回線に送出して、相手を呼び出す。一方、電話機のオフフックを検出すれば、その電話機によって通話中であると判断して、入力されたダイヤル番号を一旦メモリに格納しておき、オンフックの検出により通話が終了したと判断すれば、メモリからダイヤル番号を読み出し回線に送出する。このように、この通信端末装置では、操作態様によって、自動的に、すぐに通信を開始するのか、通信予約とするのかを判断する。
【００１２】
【発明の実施の形態】
以下に、本発明の実施の形態について、図面とともに説明する。
図１は、複写機能付き通信端末装置の構成の一例を示したブロック図である。ここには、通信端末装置としてファクシミリ装置Ｆの構成を示しているが、本発明はこれには限定されず、プリンタやスキャナを接続し、画像データの伝送機能を備えたコンピュータなどでも構成される。
【００１３】
図において、１はＣＰＵ等で構成され、以下の各部を制御する主制御部、２は電話回線Ｌにダイヤル信号を送出したり、フック検出部としてループ電流を検知して、電話機Ｔのオフフック、オンフックを検出するＮＣＵ、３はファクシミリ通信を行うために信号の変調と復調を行うモデム、４は符号化した画像データを一時格納する画像メモリ、５は各種データを記憶するためのＲＡＭ、６は制御プログラムなどを予め記憶したＲＯＭ、７は液晶画面やＬＥＤランプなどで構成された表示部、８は各種スイッチなどで構成された操作部、９はセットされた原稿から画像データを読み取る読取部、１０はファクシミリ受信した画像や、読取部９から読み取った画像を、予めセットされた用紙に記録する記録部、１１は内蔵されたマイクＭＩとスピーカＳＰとを用いて通話するための通話部である。
【００１４】
記録部１０は、レーザー記録方式のプリンタなどで構成され、高品質の画像を高速で記録できるようになっており、操作部８の切換スイッチ８ａによって、コピー（複写）モードに切り換えられると、読取部９で読み取った原稿の画像を記録部１０によって用紙に記録（印字出力）する一方、ファクシミリモードに切り換えられると、読取部９で読み取った原稿の画像を、符号化した後、モデム３、ＮＣＵ２を介してファクシミリ送信を行う。また、ファクシミリ受信は、いずれのモードでも実施でき、ファクシミリモードのときは、受信した画像データを順次、記録部１０によって記録するが、コピーモードにおいてコピー動作中のときは、受信した画像データを順次画像メモリ４に蓄積し、コピー動作完了後に、画像メモリ４に蓄積している画像データを読み出して、記録部１０によって記録する。
【００１５】
本発明では、主制御部１は、ＮＣＵ２によって電話機Ｔのオフフックを検出したときには、表示部７に通話状態を表示し、この通話状態において、操作部８の切換スイッチ８ａが操作されたときは、通話状態を継続させつつコピー操作可能状態とし、表示部７にコピー状態を表示する。
すなわち、電話機Ｔのオフフックを検出すれば、この電話機Ｔによって通話中であると判断して、この状態で、コピー操作と通信操作とを切換可能とする切換スイッチ８ａが操作されたときには、無条件にコピー操作可能状態とする。したがって、このファクシミリ装置Ｆでは、電話機Ｔによる通話とコピー動作とが、並行して行える。なお、表示部７には、動作可能な処理が常にガイダンスされているので、操作に戸惑うことがない。
【００１６】
また、主制御部１は、操作部８の切換スイッチ８ａによりコピー状態にされ、表示部７にコピー状態を表示している状態で、通信操作時にのみ操作される通信スイッチ８ｂが操作されたときは、コピー状態を継続させつつ通信操作可能状態とし、表示部７に通信状態を表示する。これによって、コピー動作中に、切換スイッチ８ａを操作しなくても、通信スイッチ８ｂを操作するだけで、自動的に通信動作を開始できる。
【００１７】
また更に、主制御部１は、内蔵された通話部１１をオフフック状態にするためのフックスイッチ８ｃが操作された後に、テンキー８ｄから入力がされたときは、通信開始であると判断し、テンキー８ｄによって入力された番号を相手のダイヤル番号として、そのまますぐに回線Ｌに送出する一方、ＮＣＵ２によって電話機Ｔのオフフックを検出した後にテンキー８ｄから入力がされたときは、通信予約であると判断し、テンキー８ｄによって入力された番号をＲＡＭ５に一旦記憶し、ＮＣＵ２でオンフックを検出したときになって、ＲＡＭ５に記憶していた番号を回線Ｌに送出し、通信を開始する。
【００１８】
すなわち、フックスイッチ８ｃの操作後は、電話機Ｔによって通話がされていないと判断して、内蔵の通話回路１１での通話を行うべく、入力されたダイヤル番号を回線Ｌに送出して、相手を呼び出す。このときは通信予約状態にならないので、迅速に通信が開始できる。一方、電話機Ｔのオフフックを検出すれば、通話中であると判断して、入力されたダイヤル番号を一旦ＲＡＭ５に格納しておき、オンフックの検出により通話が終了したと判断したときに、ＲＡＭ５からダイヤル番号を読み出し回線Ｌに送出する。このように、このファクシミリ装置Ｆでは、フック検出の態様によって、すぐに通信を開始するのか、通信予約とするのかを判断する。
【００１９】
図２には、表示部７と操作部８とを一体化させた操作パネルの外観の一例を示している。
ここでは、表示部７は、液晶画面７ａやその他ＬＥＤランプなどで構成されており、操作部８は、コピーとファクスの操作を切り換える切換スイッチ８ａと、各種通信スイッチ８ｂと、フックスイッチ８ｃと、テンキー８ｄと、スタートスイッチ８ｅとを、少なくとも備えている。なお、フックスイッチ８ｃは、ファクシミリ通信中に操作すれば、会話予約の機能を果たすようになっている。
【００２０】
なお、ここでは、液晶画面７ａと、切換スイッチ８ａの上方の表示灯の点灯によって、「コピー状態（コピー操作可能状態）」であることを示している。また、図には、通信スイッチ８ｂとして、親展通信、検索ポーリング通信、時刻指定通信などを行うために操作する応用通信スイッチと、同報通信スイッチと、グループ通信スイッチと、短縮ダイヤルスイッチを備えている。
【００２１】
次に、以上に説明したファクシミリ装置Ｆの動作を、図３にフローチャートを用いて説明する。
ここでは、動作状態を示すコピー／ＦＡＸ設定を、「コピー」「ＦＡＸ」「デンワ」のいずれかに設定すれば、これに伴って、液晶画面７ａの表示が変化し、また、電話使用中フラグによって、電話機Ｔが、使用中であるのか、使用中でないのかを設定して、処理を制御している。
【００２２】
電源投入時は、まず、コピー／ＦＡＸ設定を「コピー」で初期化し、液晶画面７ａに「コピーできます」を表示する（１００，１０１）。ファクシミリ通信中でないときに、電話機Ｔのオフフックを検出すれば（すでに検出している場合は除く）、液晶画面７ａに「デンワ」を表示し、電話使用中フラグをセット（オン）する（１０２〜１０５）。
【００２３】
切換スイッチ８ａや通信スイッチ８ｂが操作されず、ファクシミリ通信中でないときに、通話の終了を電話機Ｔのオンフックで検出すれば、液晶画面７ａの「デンワ」表示を消去し「コピー」に戻す。また、コピー／ＦＡＸ設定を初期値である「コピー」に戻し、電話使用中フラグもクリア（オフ）する。なお、この動作は、内蔵の通話部１１による通話の終了を、フックスイッチ８ｃが再操作（オフ）されることで検知した場合も同様に行われる。続いて、通信予約がされているときには、回線Ｌの使用が空き状態になっているので、その予約されている通信を実行する（１０８〜１１２）。
【００２４】
そして、ファクシミリ通信中でないときに、フックスイッチ８ｃが操作されると、液晶画面７ａに「オフフックデンワ」を表示し、コピー／ＦＡＸ設定を「デンワ」に設定し、電話使用中フラグをセットする。そして、テンキー８ｄから入力された番号をダイヤルパルスに変換して、回線Ｌに出力する。これによって、相手が応答すれば、内蔵されたマイクＭＩ、スピーカＳＰでの通話が開始できる（１１３〜１１８）。
【００２５】
次に、切換スイッチ８ａや通信スイッチ８ｂが操作されたときの動作を説明すると、切換スイッチ８ａが操作されたときは、そのときのコピー／ＦＡＸ設定により、以下の処理を行う（１１９〜１３３）。
コピー／ＦＡＸ設定が「デンワ」、つまり、電話機Ｔあるいは内蔵マイクＭＩとスピーカＳＰで通話がされている状態において、切換スイッチ８ａが操作されたときは、コピー／ＦＡＸ設定を「コピー」にし、液晶画面７ａの表示も「コピーできます」にして、通話中の並行したコピー動作を可能とする（１１９〜１２１）。
【００２６】
コピー／ＦＡＸ設定が「コピー」、つまり、コピー動作中あるいはコピー待機中の状態であって、切換スイッチ８ａが操作されたときは、コピー／ＦＡＸ設定を「ＦＡＸ」にし、液晶画面７ａの表示も「ＦＡＸできます」にして、ファクシミリ送信を可能とする（１２２〜１２４）。
続いて、テンキー８ｄから入力された番号をＲＡＭ５に格納し、スタートスイッチ８ｅが操作されると、原稿画像を読取部９で読み取り符号化して、画像メモリ４に格納し、通信予約状態とする（１２５〜１２８）。この通信予約は、ステップ１０８において、オンフック状態を検知して通話中でないと判断されれば、予約が解除され通信が開始される。
【００２７】
また、切換スイッチ８ａが操作されず、通信スイッチ８ｂが操作されたとき（１０７のＹ）も、コピー／ＦＡＸ設定を「ＦＡＸ」にし、液晶画面７ａの表示も「ＦＡＸできます」にして、ファクシミリ通信予約を可能とする（１２３〜１２８）。
コピー／ＦＡＸ設定が「ＦＡＸ」であり、電話使用中フラグがセットされていない状態、つまり、ファクシミリ通信待機状態あるいは通信中であって、通話がされていない状態において、切換スイッチ８ａが操作されたときは、コピー／ＦＡＸ設定を「コピー」にし、液晶画面７ａの表示も「コピーできます」にして、ファクシミリ通話中でも並行したコピー動作を可能とする（１２９〜１３１）。
【００２８】
一方、コピー／ＦＡＸ設定が「ＦＡＸ」であって、電話使用中フラグがセットされている状態、つまり、通話中あるいは通話待機中に切換スイッチ８ａが操作され、コピー状態になった後に、再度切換スイッチ８ａが操作され、通信状態になり、更に切換スイッチ８ａが操作されたときは、コピー／ＦＡＸ設定を「デンワ」にし、液晶画面７ａの表示も「デンワ」にして、通話可能状態を表示する（１３２，１３３）。
【００２９】
【発明の効果】
以上の説明からも理解できるように、本発明の請求項１に記載の通信端末装置では、フックスイッチ操作後のテンキー入力は、通信開始として、入力番号をすぐに回線に送出する一方、電話機のオフフック検出後のテンキー入力は、通信予約として、入力番号を記憶し、オンフックを検出したときに、記憶していた番号を回線に送出する。これによって、現実の操作態様に合うように通信動作を行うので、操作性がよくなる。
【図面の簡単な説明】
【図１】本発明の通信端末装置の構成の一例を示すブロック図である。
【図２】操作パネルの構成の一例を示す外観図である。
【図３】本発明の通信端末装置の基本動作の一例を示すフローチャートである。
【符号の説明】
Ｆ・・・ファクシミリ装置
Ｔ・・・電話機
１・・・主制御部
２・・・ＮＣＵ
５・・・ＲＡＭ
７・・・表示部
７ａ・・・液晶画面
８・・・操作部
８ａ・・・切換スイッチ
８ｂ・・・通信スイッチ
８ｃ・・・フックスイッチ
８ｄ・・・テンキー
８ｅ・・・スタートスイッチ
１１・・・通話部
Ｌ・・・電話回線
【図１】
0003721753.tif 000002
【図２】
0003721753.tif 000003
【図３】
0003721753.tif 000004